(57)【要約】【課題】商品陳列室内の温度上昇を抑えることができるとともに、商品保管室の使い勝手も良く、レジカウンタに隣接して設置するのに適した冷蔵クローズドショーケースを提供する。【解決手段】本発明の冷蔵クローズドショーケースＡは、前面に透明なペアガラスからなる前面板５を、背面に商品出し入れ口となる引戸７を備え、内部に商品陳列棚９を備えた商品陳列室１と、商品陳列室の下方に連設された商品保管室３と、商品保管室３の下方に連設された機械室２とを一体的に備えている。そして、前記商品陳列室１は、下部前方に前面板５の内面に沿って上方に冷気を吹き出す冷気吹出口１１を、下部後方に商品陳列室内の冷気を吸い込む冷気吸込口１２をそれぞれ有し、商品保管室３は背面側に商品出し入れ部となる引出式収納庫１３を有するとともに、機械室２の排熱空気を商品陳列室の前面板５の外面に沿って吹き出す排熱空気吹出部２２を有している。【選択図】図１
2009186049.tif 000002
【特許請求の範囲】
【請求項１】
前面に透明な前面板を、背面に商品出し入れ口を備え、内部に商品陳列棚を備えた商品陳列室と、該商品陳列室の下方に連設された商品保管室と、該商品保管室の下方に連設された機械室とを一体的に備えた冷蔵クローズドショーケースであって、前記商品陳列室は、下部前方に前記前面板の内面に沿って上方に冷気を吹き出す冷気吹出口を、下部後方に商品陳列室内の冷気を吸い込む冷気吸込口をそれぞれ有し、前記商品保管室は背面側に商品出し入れ部を有するとともに、前記機械室の排熱空気を前記商品陳列室の前記前面板の外面に沿って吹き出す排熱空気吹出部を有していることを特徴とする冷蔵クローズドショーケース。
【請求項２】
前記冷気吹出口に冷気の吹き出し方向をガイドする透明な吹き出しガイドを設けたことを特徴とする請求項１記載の冷蔵クローズドショーケース。
【請求項３】
前記商品保管室は、背面側に引き出し可能で上方が開口した引出式収納庫を有しており、該引出式収納庫の前板の内側に、前記冷気吸込口に吸い込まれた冷気が通る冷気通路を底板を貫通して設けたことを特徴とする請求項１又は２記載の冷蔵クローズドショーケース。
【請求項４】
前記商品陳列室の前面下部に、レジカウンタの天板高さと同じ高さの水平部材を設けたことを特徴とする請求項１乃至３いずれか１項記載の冷蔵クローズドショーケース。
【請求項５】
前記商品陳列室と前記商品保管室との間の背面部に折り畳み可能な棚板を設けたことを特徴とする請求項１乃至４いずれか１項記載の冷蔵クローズドショーケース。
【請求項６】
前記商品陳列室の天板の下面及び商品陳列棚の下面に商品照明用のＬＥＤランプを設けたことを特徴とする請求項１乃至５いずれか１項記載の冷蔵クローズドショーケース。
【発明の詳細な説明】
【技術分野】
【０００１】
本発明は、冷蔵クローズドショーケースに関し、詳しくは、商品陳列室、商品保管室及び冷凍機を一体化した冷蔵クローズドショーケースに関する。
【背景技術】
【０００２】
冷凍機を内蔵した冷蔵クローズドショーケースとして、冷凍機の圧縮機や凝縮器を収納した機械室の上方に商品陳列室を設け、機械室と商品陳列室との間に形成した下部ダクト内に冷凍機の蒸発器や送風器等を配置したものが知られている。
このような冷蔵クローズドショーケースにおける商品陳列室は、一般に、前面をペアガラス等の透明板で覆うとともに、背面に商品出し入れ口となる引戸を設けている。そして、このような冷蔵クローズドショーケースでは、購買客側の前面ガラスの外面に結露が発生することを抑えるため、冷却機で冷却された低温の冷気を吹き出す冷気吹出口を商品陳列室の下部後方に設け、冷気吸込口を下部前方に設けるようにしている（例えば、特許文献１参照。）。
【０００３】
一方、商品陳列室内に陳列する商品をあらかじめ冷却した状態で保管するため、ショーケースに商品保管室を連設することが行われている。従来の商品保管室としては、商品陳列室の上方に商品保管室を配置したものや（例えば、特許文献２参照。）、ショーケースの後方に人が立って作業することができる大きな商品保管室を設けた、いわゆるプレハブ冷蔵庫が知られている（例えば、特許文献３参照。）。また、冷蔵用の小型ストッカーをショーケースの裏側に用意しておき、陳列商品をあらかじめ冷やすことも行われていた。
【特許文献１】特開平７−１５１４５０号公報
【特許文献２】特開２００７−１３０２２６号公報
【特許文献３】特開２００２−５８５７０号公報
【発明の開示】
【発明が解決しようとする課題】
【０００４】
特許文献１に記載されたような冷蔵クローズドショーケースでは、商品陳列室の下部後方、すなわち、商品出し入れ用の引戸の下方から冷気を吹き出すようにしているため、商品を出し入れするために引戸を開放すると商品陳列室内の冷気の流れが妨げられ、商品陳列室内の温度が上昇してしまうことがあった。
【０００５】
また、特許文献２に記載されたように、商品陳列室の上方に商品保管室を設けたものでは、商品保管室の商品を出し入れするための作業性が悪く、踏み台を必要としたり、商品を落下させて損傷させてしまうこともあった。また、特許文献３に記載されたプレハブ冷蔵庫は、大きな設置スペースが必要であり、設置場所が限られるという問題がある。
【０００６】
そこで本発明は、商品陳列室内の温度上昇を抑えることができるとともに、商品保管室の使い勝手も良く、設置場所の制限もなく、レジカウンタに隣接して設置するのにも適した冷蔵クローズドショーケースを提供することを目的としている。
【課題を解決するための手段】
【０００７】
上記目的を達成するため、本発明の冷蔵クローズドショーケースは、前面に透明な前面板を、背面に商品出し入れ口を備え、内部に商品陳列棚を備えた商品陳列室と、該商品陳列室の下方に連設された商品保管室と、該商品保管室の下方に連設された機械室とを一体的に備えた冷蔵クローズドショーケースであって、前記商品陳列室は、下部前方に前記前面板の内面に沿って上方に冷気を吹き出す冷気吹出口を、下部後方に商品陳列室内の冷気を吸い込む冷気吸込口をそれぞれ有し、前記商品保管室は背面側に商品出し入れ部を有するとともに、前記機械室の排熱空気を前記商品陳列室の前記前面板の外面に沿って吹き出す排熱空気吹出部を有していることを特徴としている。
【０００８】
さらに、本発明の冷蔵クローズドショーケースにおいては、前記冷気吹出口に冷気の吹き出し方向をガイドする透明な吹き出しガイドを設けることが好ましい。また、前記商品保管室は、背面側に引き出し可能で上方が開口した引出式収納庫を有しており、該引出式収納庫の前板の内側に、前記冷気吸込口に吸い込まれた冷気が通る冷気通路を底板を貫通して設けることが好ましい。さらに、前記商品陳列室の前面下部に、レジカウンタの天板高さと同じ高さの水平部材を設けることが好ましく、前記商品陳列室と前記商品保管室との間の背面部に折り畳み可能な棚板を設けることが好ましい。加えて、前記商品陳列室の天板の下面及び商品陳列棚の下面に商品照明用のＬＥＤランプを設けることが好ましい。
【発明の効果】
【０００９】
本発明の冷蔵クローズドショーケースによれば、商品陳列室の下部前方に冷気吹出口を、商品出し入れ口がある背面側の下部後方に冷気吸込口をそれぞれ設けているので、商品出し入れ口を開いて商品を出し入れする際に商品陳列室内に吹き出す冷気の流れを乱すことがなく、商品陳列室内の温度上昇を抑えることができる。また、商品保管室を商品陳列室と機械室との間の中段に設けているので、商品保管室及び商品陳列室の商品の出し入れを容易に行うことができる。そして、機械室の凝縮器や圧縮機を冷却することで発生した排熱空気を前面板の外面に沿って吹き出すことにより、購買客側の前面透明板の外面に結露が発生することを防止できる。また、購買客側の足元に排出される排熱空気量が抑制されることで不快感をなくすことができる。
【００１０】
さらに、冷気吹出口に透明な吹き出しガイドを設けることにより、商品の陳列効果を損なうことなく、冷気の吹出方向を最適に制御できる。また、商品保管室における商品の保管を引出式収納庫とすることにより、立ったままで商品の出し入れを行うことができ、作業性が向上する。さらに、引出式収納庫の引出前板の内側に冷気通路を形成することにより、引出式収納庫を収納したときには冷気の流れを損なうことなく、引出式収納庫を引き出したときにも冷気の流れを妨げることがないため、商品保管室内の冷却を効果的に行うことができる。
【００１１】
また、レジカウンタの天板高さと同じ高さの水平部材を設けることにより、レジカウンタに隣接して設置しても違和感がなく、レジカウンタと一体感が得られる。さらに、背面部に折り畳み可能な棚板を設けることにより、商品の出し入れを行う際に一時的に商品を置くことができ、作業性が向上する。また、照明としてＬＥＤを使用することにより、冷気吹出口から吹き出した冷気によって冷却されても、蛍光ランプに比べて十分な照度を得ることができる。さらには、照明が発する熱負荷を抑制することもできる。
【発明を実施するための最良の形態】
【００１２】
図１は本発明の一実施形態を示す冷蔵クローズドショーケースの概略構成を示す断面側面図、図２は冷蔵クローズドショーケースの正面図、図３は冷蔵クローズドショーケースの側面図である。
【００１３】
この冷蔵クローズドショーケースＡは、ケース本体上部の商品陳列室１と、ケース本体下部の機械室２との間に商品保管室３を配置した３段構成を有している。商品陳列室１は、底板部４、前面板部５、天板部６、背面板部７及び左右一対の側板部８，８とに囲まれており、前面板部５から天板部６の前半部には二重ガラス板（ペアガラス）５ａ，６ａが用いられている。背面板部７には、背面の商品出し入れ口を形成する二枚のペアガラスを引き違い可能に配置した引戸７ａが設けられるとともに、左右両側部には、商品陳列棚９を適宜な高さ位置で支持することができる一対の支柱１０，１０が設けられている。さらに、前記底板部４の前端には、前面板部５のペアガラス５ａ内面に沿って冷気を上方に吹き出す冷気吹出口１１が設けられ、底板部４の後端には、商品陳列室１内の冷気を吸い込む冷気吸込口１２が設けられている。また、側板部８は、前半部に透明ガラス８ａを、後半部に半透明ガラス８ｂを設けて横から商品陳列室１内を視認できるようにしている。
【００１４】
商品保管室３は、商品出し入れ部として背面側に引き出し可能で上方が開口した引出式収納庫１３を有している。商品保管室３の背面部に位置する引出式収納庫１３の前板１３ａは、商品保管室３の背面開口を閉塞する大きさを有しており、四周には気密材１３ｂが設けられて冷気の漏れ出しを防止している。また、底板１３ｃの後部側は、前板１３ａの内側近傍が開口しており、引出式収納庫１３の上部開口から底板１３ｃの後部側を通って上下に貫通した冷気通路１４が設けられている。さらに、商品保管室３の前方には、冷気吹出口１１に接続する前部ダクト１５が設けられている。冷気通路１４及び前部ダクト１５の下端は、下部ダクト１６に接続しており、この下部ダクト１６内に送風器１７と、冷凍機を構成する冷却器１８とが収納されている。
【００１５】
機械室２は、冷凍機を構成する圧縮機や凝縮器などの低温部以外の機器を収納するもので、機械室２の背面パネル２ａには冷却空気取入口１９が設けられ、前面パネル２ｂの下部には温度上昇した排熱空気を排出するための排気口２０が設けられるとともに、前面パネル２ｂの上部には一部の排熱空気を上方に向けてガイドする排熱空気ダクト２１が設けられている。排熱空気ダクト２１の上端は、前面板部５の外面下端部に開口して排熱空気吹出部２２が形成されており、圧縮機や凝縮器を冷却することにより温度上昇した排熱空気を商品陳列室１の前面板部５のペアガラス５ａ外面に沿うように上方に向けて吹き出すようにしている。
【００１６】
また、商品陳列室１の前面下部には、水平部材２３が設けられている。この水平部材２３は、スーパーマーケットやコンビニエンスストアに設置されているレジカウンタの天板高さと同じ高さで、天板と同じような外観に形成されており、レジカウンタに隣接させて本実施形態例の冷蔵クローズドショーケースＡを設置したときに、レジ部分と一体感が得られるようにしている。さらに、前記商品陳列室１と前記商品保管室３との間の背面部には、折り畳み可能な棚板２４が設けられ、商品を一時的に置いておくことができるようにしている。
【００１７】
さらに、商品陳列室１の底板部４の先端には、冷気吹出口１１からの冷気の吹き出し方向を上方に向けてガイドするための透明な吹き出しガイド２５が設けられ、冷気吹出口１１から吹き出した冷気が下段の商品陳列棚９に当たって大部分が冷気吸込口１２に吸い込まれてしまうことを防止している。この吹き出しガイド２５を透明材料で形成することにより、高さを高くしても陳列した商品が吹き出しガイド２５で隠れてしまうことがない。また、商品陳列室１の天板部６の中央部下面と各商品陳列棚９の前端部下面とには、商品陳列棚９及び底板部４上に陳列した商品を照明するための光源としてＬＥＤランプ２６がそれぞれ設けられている。さらに、背面上部には商品陳列室１内の温度を表示する温度表示部２７が設けられている。
【００１８】
このように形成した冷蔵クローズドショーケースＡは、機械室２に収納された冷凍機が作動することによって下部ダクト１６内に収納された冷却器１８が低温状態になり、送風器１７の作動によって循環する冷気が冷却器１８で所定温度に冷却され、前部ダクト１５を上昇して冷気吹出口１１から商品陳列室１内に吹き出す。冷気吹出口１１から商品陳列室１内に吹き出した冷気は、吹き出しガイド２５によりガイドされて前面板部５（ペアガラス５ａ，５ａ）内面に沿って上昇するとともに、一部の冷気が商品陳列棚９の下面に沿って背面方向に流れる。大部分の冷気は、前面板部５の内面から天板部６の前方部分に上昇した後、天板部６の後方から背面側の支柱１０，１０間の背面板部７（引戸７ａ，７ａ）の内面に沿って下方に流れ、一部が商品陳列棚９の上面や底板部４の上面を流れ、前面側から商品陳列棚９の下面に沿って流れる冷気と合流して循環しながら陳列した商品を冷却する。したがって、吹き出しガイド２５を設けて冷気の流れを最適に設定することにより、商品陳列室１内の全体に冷気が行き渡り、陳列した商品を効率よく均一に冷却することができる。
【００１９】
商品陳列室１内の冷気は、下部後方の冷気吸込口１２に吸い込まれ、商品保管室３の後部側の冷気通路１４内を下降し、下部ダクト１６の後部側に循環して送風器１７に吸引される。このようにして循環する冷気により、商品陳列室１内が設定温度に冷却されるとともに、循環する冷気の一部が商品保管室３の引出式収納庫１３内に流入し、引出式収納庫１３内に保管されている商品を所定温度に冷却する。同時に、機械室２からの排熱空気の一部が排熱空気ダクト２１を通り、排熱空気吹出部２２から商品陳列室１の前面板部５（ペアガラス５ａ，５ａ）の外面に沿って上昇することにより、前面板部５のペアガラス５ａ，５ａ外面への結露の発生を防止することができる。
【００２０】
商品陳列室１内に陳列した商品は、天板部６及び各商品陳列棚９の各下面に設けられたＬＥＤランプ２６により照明される。このＬＥＤランプ２６は、冷気吹出口１１から吹き出した冷気に直接的に接触するが、冷却されても蛍光ランプのような光束減衰がないことから、十分な照度で陳列した商品を照明することができる。
【００２１】
商品陳列室１内の商品の出し入れは、背面板部７の引戸７ａ，７ａを開いて行う。このとき、従来は背面板部７の内側を低温の冷気、例えば、商品陳列室１内の設定温度５度の場合に−１０〜５℃の冷気が上昇していたため、商品の出し入れによって低温冷気の流れが妨げられ、商品陳列室１内の冷却効果が低下する傾向となっていたが、本実施形態例に示すように、−１０〜５℃の低温の冷気を前面板部５（ペアガラス５ａ，５ａ）の内面に沿って吹き出すように形成したことにより、商品出し入れ口となる引戸７ａ，７ａを開いて商品の出し入れを行っても低温の冷気の流れが妨げられることはなく、商品陳列室１内の温度上昇を抑えることができる。
【００２２】
また、商品陳列室１内の商品を出し入れする際に、図１及び図３に破線で示すように、棚板２４を水平方向の使用状態とすることにより、商品陳列室１に入れる商品や、商品陳列室１から取り出した商品を一時的に置いておく場所とすることができ、商品販売時などの作業性を向上させることができる。この棚板２４は、通常は、図１及び図３に実線で示すように上方に折り畳み、背面に沿った収納状態としておくことにより店員の移動などの作業の邪魔になることはない。
【００２３】
商品保管室３の商品の出し入れは、引出式収納庫１３を背面側に引き出して行う。引出式収納庫１３は上方が開口しているため、立った姿勢の状態で上方から商品の出し入れを行うことができ、引戸や開き戸を開いて背面側下部から行う場合のようにかがみ込んで商品の出し入れを行う必要がないことから、商品出し入れの作業性を大幅に向上させることができる。また、引出式収納庫１３を収納したときに前板１３ａが商品保管室３の背面開口を閉塞するとともに、前板１３ａ内側の冷気通路１４を冷気が通過可能な状態とし、引出式収納庫１３を引き出したときには、底板１３ｃによって冷気通路１４を遮断した状態とすることにより、引戸や開き戸を開いたときのような外部への冷気の流出や下部ダクト１６内への室温空気の流入を抑えることができ、冷却器１８による冷却効果の低下を防止できる。
【００２４】
すなわち、商品陳列室１の下部後方に冷気吹出口を設けた場合には、商品保管室３の商品の出し入れをする際に、下部ダクトから冷気吹出口へ向かって流れる冷気の流れを遮断する状態になり、その一方で商品陳列室１の下部前方に設けた冷気吸込口からは商品陳列室１内の冷気が吸い込まれるために商品陳列室１内に外部空気が流入して温度上昇の大きな要因となっていたが、本実施形態例に示すように形成することにより、商品陳列室１内への外部空気の流入はほとんどなく、循環する冷気への外部空気の混入も抑えることができるので、商品陳列室１内の温度上昇を確実に抑えることができる。また、背面側には冷却器１８で冷却された低温の冷気が流れないので、背面板部７の引戸７ａ，７ａ外面や前板１３ａの外面に結露が生じることも防止できる。
【００２５】
加えて、商品陳列室１の前面下部にレジカウンタの天板に対応した高さ、形状の水平部材２３を設けることにより、冷蔵クローズドショーケースをレジカウンタに隣接して設置したときに一体感が得られ、コンビニエンスストアなどでレジに近い位置で冷蔵商品の陳列販売を効果的に行うことができる。
【図面の簡単な説明】
【００２６】
【図１】本発明の一実施形態を示す冷蔵クローズドショーケースの概略構成を示す断面側面図である。
【図２】冷蔵クローズドショーケースの正面図である。
【図３】冷蔵クローズドショーケースの側面図である。
【符号の説明】
【００２７】
Ａ    冷蔵クローズドショーケース
１    商品陳列室
２    機械室
２ａ    背面パネル
２ｂ    前面パネル
３    商品保管室
４    底板部
５    前面板部
５ａ    ペアガラス
６    天板部
６ａ    ペアガラス
７    背面板部
７ａ    引戸
８    側板部
８ａ    透明ガラス
８ｂ    半透明ガラス
９    商品陳列棚
１０    支柱
１１    冷気吹出口
１２    冷気吸込口
１３    引出式収納庫
１３ａ    前板
１３ｂ    気密材
１３ｃ    底板
１４    冷気通路
１５    前部ダクト
１６    下部ダクト
１７    送風器
１８    冷却器
１９    冷却空気取入口
２０    排気口
２１    排熱空気ダクト
２２    排熱空気吹出部
２３    水平部材
２４    棚板
２５    吹き出しガイド
２６    ＬＥＤランプ
２７    温度表示部
【図１】
2009186049.tif 000003
【図２】
2009186049.tif 000004
【図３】
2009186049.tif 000005